(57)【要約】【課題】炭酸風呂モードの際に利用者の手間を煩わせることなく、エネルギーを節約しつつ、通常風呂モードにおける場合と同じ温まり感、快適性を得る。【解決手段】炭酸ガスを溶解させた湯を浴槽２に供給する炭酸風呂モードと、炭酸ガスを溶解しない湯を浴槽２に供給する通常風呂モードとを備える。通常風呂モードにおける設定温度が任意の設定温度に設定されている状態で、炭酸風呂モードで運転する際の加熱温度を、前記通常風呂モードにおける任意の設定温度よりも低い温度に変更するように制御する制御部４を設ける。【選択図】図１
2011212126.tif 000002
【特許請求の範囲】
【請求項１】
炭酸ガスを溶解させた湯を浴槽に供給する炭酸風呂モードと、炭酸ガスを溶解しない湯を浴槽に供給する通常風呂モードとを備え、通常風呂モードにおける設定温度が任意の設定温度に設定されている状態で、炭酸風呂モードで運転する際の加熱温度を、前記通常風呂モードにおける任意の設定温度よりも低い温度に変更するように制御する制御部を設けて成ることを特徴とする炭酸風呂。
【請求項２】
湯張りの湯量が少ない半身浴運転において炭酸風呂モードで運転する際の加熱温度を、通常風呂モードにおける浴設定温度と同じ温度となるように制御する制御部を設けて成ることを特徴とする請求項１記載の炭酸風呂。
【発明の詳細な説明】
【技術分野】
【０００１】
本発明は、炭酸風呂に関するものである。
【背景技術】
【０００２】
従来から、湯に炭酸ガスを混入して溶解する炭酸風呂が特許文献１により知られている。
【０００３】
炭酸風呂は、湯に炭酸ガスが溶け込んでいるため炭酸ガスによる入浴者の末梢血管の拡張作用等で血行を促進し、入浴者に対する保温作用があり、また、末梢循環障害の治療に効果があると言われている。
【先行技術文献】
【特許文献】
【０００４】
【特許文献１】特開平８−２１５２７０号公報
【発明の概要】
【発明が解決しようとする課題】
【０００５】
炭酸風呂を家庭に設置する場合、個人の好みや体調により炭酸ガスを溶解した炭酸ガス溶解湯で炭酸浴をしたい場合と、炭酸ガスを溶解しない通常の入浴をしたい場合とがある。このため、加熱部から浴槽に供給する湯に炭酸ガスを溶解する炭酸風呂モードと、湯に炭酸ガスを溶解しない通常風呂モードとを設け、いずれかのモードを選択して湯張りをおこなうことができるようにする必要がある。
【０００６】
しかしながら、湯に炭酸ガスを溶解する場合と、溶解しない場合とでは、同じ温まり感、快適性が得られる湯温が異なる。例えば、炭酸ガスを溶解しない通常風呂モードにおいて、湯温を例えば４２℃に設定した場合の温まり感と同じ温まり感が、炭酸風呂モードにおいては湯温が３８〜３９℃で得られると言われている。
【０００７】
また、最近の加熱部は、湯張り温度を予め任意の湯温に設定し、「自動湯張り」釦を押すのみで浴槽に上記予め設定した任意の湯温で浴槽に湯張りするようになっている。
【０００８】
しかし、通常風呂モードにおける設定温度と同じ温まり感を炭酸風呂モード運転時に得るには、手動で設定温度を低く設定する必要がある。例えば、通常風呂モードにおける設定温度を４２℃に設定してある場合、この通常風呂モードにおける湯温４２℃の温まり感を炭酸風呂モードの際に得るには、設定温度を手動で３８〜３９℃に設定し直す必要があり、面倒である。
【０００９】
また、炭酸風呂モード運転時に湯温の設定温度を変更せずに「自動湯張り」釦を押すと、通常風呂モードと比べて熱く感じるため水で薄めなければならず、エネルギーの浪費につながると共に水で薄めるための手間が必要である。
【００１０】
本発明は、上記の従来の問題点に鑑みて発明したもので、炭酸風呂モードの際に利用者の手間を煩わせることなく、エネルギーを節約しつつ、通常風呂モードにおける場合と同じ温まり感、快適性を得ることができる炭酸風呂を提供するにある。
【課題を解決するための手段】
【００１１】
本発明の炭酸風呂は、炭酸ガスを溶解させた湯を浴槽２に供給する炭酸風呂モードと、炭酸ガスを溶解しない湯を浴槽２に供給する通常風呂モードとを備え、通常風呂モードにおける設定温度が任意の設定温度に設定されている状態で、炭酸風呂モードで運転する際の加熱温度を、前記通常風呂モードにおける任意の設定温度よりも低い温度に変更するように制御する制御部４を設けて成ることを特徴とする。
【００１２】
このように構成することで、炭酸風呂モードにおける入浴、通常モードにおける入浴を選択することができる。そして、炭酸風呂モード運転において、通常風呂モードとほぼ同じ温まり感、快適性を得るに当たり、湯水の設定温度を手動で設定し直したり、水で薄めたりする必要がない。
【００１３】
また、湯張りの湯量が少ない半身浴運転において炭酸風呂モードで運転する際の加熱温度を、通常風呂モードにおける浴設定温度と同じ温度となるように制御する制御部４を設けることが好ましい。
【００１４】
身体の半身のみが湯に浸かる半身浴においては、通常風呂モードにおける設定温度と同じ温度に加熱することで、炭酸風呂モードにおける半身浴の温まり感、快適性を得ることができる。
【発明の効果】
【００１５】
本発明は、通常風呂モードにおける設定温度が任意の設定温度に設定されている状態で、炭酸風呂モードで運転する際の加熱温度を、前記通常風呂モードにおける任意の設定温度よりも低い温度に変更するように制御する制御部を設けるので、湯水の設定温度を手動で設定し直したり、水で薄めたりする必要がなく、この結果、炭酸風呂モードの際に利用者の手間を煩わせることなく、エネルギーを節約しつつ、通常風呂モードにおける場合と同じ温まり感、快適性を得ることができる。
【００１６】
また、湯張りの湯量が少ない半身浴運転において炭酸風呂モードで運転する際、加熱部による加熱温度を、通常風呂モードにおける設定温度と同じ温度に制御するものにおいては、炭酸風呂モードにおける半身浴が、通常風呂モードにおける半身浴とほぼ同じ温まり感、快適性を得ることができる。
【図面の簡単な説明】
【００１７】
【図１】本発明の一実施形態の概略構成図である。
【図２】同上の制御ブロック図である。
【図３】同上の通常風呂モードにおける湯張りを示す説明図である。
【図４】同上の炭酸風呂モードにおける湯張りを示す説明図である。
【図５】同上の追い焚きを示す説明図である。
【図６】本発明の他の実施形態の制御ブロック図である。
【図７】本発明の他の実施形態の概略構成図である。
【図８】本発明の更に他の実施形態の概略構成図である。
【発明を実施するための形態】
【００１８】
以下、本発明を添付図面に示す実施形態に基づいて説明する。
【００１９】
図１には本発明の炭酸風呂の一実施形態の概略構成図を示しており、図２には本発明の制御ブロック図を示している。
【００２０】
浴槽２には供給口５と吸込口６を設けており、図１においては供給口５と吸込口６を一つの供給・吸込アダプタ７に設け、この供給・吸込アダプタ７を浴槽２に取付けている。
【００２１】
供給口５に供給路８の一端部を接続し、吸込口６に戻し路９の一端部を接続している。
【００２２】
供給路８の他端部と戻し路９の他端部を連通接続して循環路１１を構成しており、この供給路８の他端部と戻し路９の他端部の連通接続部分に水道水が供給される給水路１０の先端部を連通接続している。
【００２３】
給水路１０に弁１７を設けており、供給路８には給水路１０から供給される水を加熱する加熱部１を設けている。
【００２４】
加熱部１は、例えば、供給路８の一部が熱交換部１ａとなっていて、この熱交換部１ａを、図示を省略したバーナなどの熱源により加熱した熱媒との熱交換で加熱したり、あるいは、熱交換部１ａをバーナで加熱することで、熱交換部１ａを通る水を加熱して目的とする温度の湯を形成するようになっている。
【００２５】
ここで、加熱部１で加熱される湯の温度は、操作盤１２に設けた湯温設定釦２１を操作することで、制御部４により湯温調整手段１８を制御して任意の設定温度になるように制御される。湯温調整手段１８としては、例えば、給水路１０に設けた弁１７の開き度を調整することによる給水路１０からの水の給水量の調整、後述の循環ポンプ３による浴槽２内の湯の循環量の調整、熱交換部１ａを加熱する熱媒の流量調整又は熱媒の供給間隔の調整、あるいは、バーナにより与えられる熱量の調整等を挙げることができる。
【００２６】
供給路８の加熱部１より下流に炭酸ガスを混入して溶解する炭酸ガス溶解部１３を設けている。
【００２７】
炭酸ガス溶解部１３に炭酸ガス供給路１４の一端部を接続し、炭酸ガス供給路１４の他端部に炭酸ガスボンベ１５を接続しており、炭酸ガス供給路１４の途中に弁１６を設けている。
【００２８】
戻し路９には循環ポンプ３、サーミスタのような湯温検知手段１９、弁２０を設けている。湯温検知手段１９は循環ポンプ３よりも下流側（加熱部１に近い側）に設け、更に、弁２０は湯温検知手段１９よりも下流側に設けている。
【００２９】
なお、図１の実施形態では給水路１０、戻し路９にそれぞれ弁１７、２０を設けた例を示しているが、これらの弁１７、２０に代えて給水路１０と戻し路９と供給路８が三方切替弁を介して連通接続するように構成してもよい。
【００３０】
操作盤１２には前述の湯温設定釦２１の他に、電源釦２２、モード設定釦２３、自動湯張り釦２４、湯張り量設定釦２５、追い焚き釦２６を設けてあり、更に、図示を省略しているが、たし湯をするためのたし湯釦等が設けてある。また、操作盤１２には表示部２７が設けてある。
【００３１】
本実施形態において、加熱部１で加熱された湯に炭酸ガスを溶解して浴槽２に供給する炭酸風呂モードと、炭酸ガスを溶解しない湯を浴槽２に供給する通常風呂モードとを備えており、操作盤１２に設けたモード設定釦２３を操作することで、炭酸風呂モード、通常風呂モードのいずれかを選択できるようになっている。
【００３２】
そして、本実施形態においては、加熱部１で加熱する通常風呂モードにおける設定温度が任意の設定温度に設定されている状態で、炭酸風呂モードで運転する際、加熱部１による加熱温度を、前記通常風呂モードにおける任意の設定温度よりも低い温度に変更するように制御部４により制御されるように構成している。
【００３３】
つまり、操作盤１２において、湯温設定釦２１を操作して、湯温の設定温度を例えば４２℃に設定すると、操作盤１２の表示部２７に湯温の設定温度が４２℃と表示され、この状態で、通常風呂モードで運転すると、表示部２７に風呂モードが通常風呂モードであることが表示される。通常風呂モードで運転する場合は、自動湯張り釦２４を操作することで後述のようにして運転される（詳細な運転の説明は後述する）。この場合、加熱部１では湯温調整手段１８により湯温が４２℃となるように制御される。
【００３４】
上記のように、前回の風呂モードが、通常風呂モードで、加熱部１で加熱する湯温の設定温度が例えば上記のように４２℃に設定されている状態で、次回に炭酸風呂モードで運転すると、炭酸風呂モードでの加熱部１における湯の加熱が４２−Ｘ℃の湯温となるように湯温調整手段１８が制御されるようになっている。この場合、同時に表示部２７には風呂モードが炭酸風呂モードの表示に自動的に変更して表示されると共に湯温の設定温度が４２−Ｘ℃に自動的に変更して表示される。
【００３５】
上記炭酸風呂モードにおいて通常風呂モードにおける設定温度よりも低い温度に変更する制御について、変更する温度は季節によって異ならせるように制御する。
【００３６】
夏季は３℃程度下げるのがちょうど良く、冬季は１℃程度下げるのがちょうどよい。したがって、例えば、通常風呂モードにおける設定温度を上記例のように４２℃とした場合、夏季における炭酸風呂モードにおいては３９℃、冬季における炭酸風呂モードにおいては４１℃とする。この場合、外気温度に応じて何度下げるか制御するものであり、外気温度の監視に当たっては、給湯器に備わっている凍結防止で使用している外気温サーミスタを使用することで、専用のサーミスタが不要となる。
【００３７】
また、前回の風呂モードが、炭酸風呂モードで、次回に通常風呂モードで運転する場合は、上記とは逆に湯温の設定温度が自動的に変更され、また、表示部２７における風呂モードの表示及び湯温の設定温度の表示が上記とは逆に自動的に変更して表示される。
【００３８】
例えば、前回の風呂モードが、炭酸風呂モードで、加熱部１で加熱する湯温の設定温度が例えば４２−Ｘ℃に設定されている状態で、次回に通常風呂モードで運転すると、加熱部１における湯の加熱が４２℃の湯温となるように湯温調整手段１８が制御され、同時に表示部２７には風呂モードが通常風呂モードの表示に自動的に変更して表示されると共に湯温の設定温度が４２℃に自動的に変更して表示される。
【００３９】
これにより、炭酸風呂モード運転と通常風呂モードとでほぼ同じ温まり感、快適性を得ることができる。
【００４０】
次に、図３乃至図５に基づいて、通常風呂モードの運転、炭酸風呂モードの運転につき説明する。
【００４１】
通常風呂モードに設定して運転する場合は、まず、電源釦２２をオン操作する。電源がオンになると表示部２７に前回の運転モード、湯温の設定温度、設定湯量が表示される。
【００４２】
表示部２７に表示された運転モードが通常風呂モードの場合はそのまま、炭酸風呂モードの場合はモード設定釦２３を操作して通常風呂モードに設定する。ここで、前回の風呂モードが通常風呂モードの場合は、表示部２７には前回の通常風呂モードに対応した設定温度が表示されるが、前回の風呂モードが炭酸風呂モードの場合は、通常風呂モードに切り替えると表示部２７に表示されている設定温度が、通常風呂モードに対応した設定温度（つまり炭酸風呂モードの設定温度＋Ｘ℃）に自動的に変更表示される。
【００４３】
また、表示部２７には前回の設定湯量が表示される。
【００４４】
表示部２７に設定された通常風呂モードに対応した設定温度、設定湯量を変えない場合はそのまま、変える場合は湯温設定釦２１、湯張り量設定釦２５を操作して任意の設定温度、設定湯量にする。
【００４５】
その後、自動湯張り釦２４をオン操作すると、制御部４により弁１７を開、弁２０を閉、循環ポンプ３をオフ、弁１６を閉になるように制御すると共に、湯温調整手段１８を制御して、図３の矢印のように、給水路１０から供給される水を加熱部１で操作盤１２で設定された通常風呂モードに対応した設定温度に加熱して供給路８の端部の供給口５から浴槽２内に供給する。
【００４６】
このようにして操作盤１２で設定された通常風呂モードに対応した設定温度の湯を操作盤１２で設定された設定湯量となるように湯張りする。そして、設定湯量になると、図示を省略している湯量測定手段により検出し、制御部４により弁１７を閉、弁２０を閉、循環ポンプ３をオフ、弁１６を閉になるように制御すると共に、湯温調整手段１８による加熱を停止する。
【００４７】
上記のようにして湯張りが終了すると、一定時間毎に、湯温検知手段１９により戻し路９内の湯温を検知するよう制御される。そして、湯温検知手段１９により湯温が通常風呂モードに対応した設定温度よりも低い追い焚き温度に低下したことを検知すると、制御部４により、弁１７を閉、弁２０を開、循環ポンプ３をオン、弁１６を閉になるように制御すると共に、湯温調整手段１８を制御して、図５の矢印のように、浴槽２内の湯を吸込口６から循環路１１に吸込み、加熱部１で加熱して供給口５から浴槽２に供給する。そして、湯温が通常風呂モードに対応した設定温度になると湯温検知手段１９で検知し、制御部４により弁１７を閉、弁２０を閉、循環ポンプ３をオフ、弁１６を閉になるように制御すると共に、湯温調整手段１８による加熱を停止する。
【００４８】
一方、炭酸風呂モードに設定して運転する場合は、まず、電源釦２２をオン操作する。電源がオンになると表示部２７に前回の運転モード、湯温の設定温度、設定湯量が表示される。
【００４９】
表示部２７に表示された運転モードが炭酸風呂モードの場合はそのまま、通常風呂モードの場合はモード設定釦２３を操作して炭酸風呂モードに設定する。ここで、前回の風呂モードが炭酸風呂モードの場合は、表示部２７には前回の炭酸風呂モードに対応した設定温度が表示されるが、前回の風呂モードが通常風呂モードの場合は、炭酸風呂モードに切り替えると表示部２７に表示されている設定温度が、炭酸風呂モードに対応した設定温度（つまり通常風呂モードの設定温度−Ｘ℃）に自動的に変更表示される。
【００５０】
また、表示部２７には前回の設定湯量が表示される。なお、表示部２７に設定された炭酸風呂に対応した設定温度、設定湯量を変えない場合はそのまま、変える場合は湯温設定釦２１、湯張り量設定釦２５を操作して任意の設定温度、設定湯量にする。
【００５１】
その後、自動湯張り釦２４をオン操作すると、制御部４により弁１７が開、弁２０を閉、循環ポンプ３をオフ、弁１６を開になるように制御すると共に、湯温調整手段１８を制御して、図４の矢印のように、給水路１０から供給される水を加熱部１で操作盤１２で設定された設定温度に加熱し、加熱された湯に炭酸ガス溶解部１３で炭酸ガスを混入溶解し、この炭酸ガス溶解湯を供給口５から浴槽２内に供給する。
【００５２】
このようにして操作盤１２で設定された炭酸風呂モードに対応した設定温度の湯を操作盤１２で設定された設定湯量となるように炭酸ガス溶解湯を湯張りする。そして、設定湯量になると、図示を省略している湯量測定手段により検出し、制御部４により弁１７を閉、弁２０を閉、循環ポンプ３をオフ、弁１６を閉になるように制御すると共に、湯温調整手段１８による加熱を停止する。
【００５３】
上記のようにして炭酸ガス溶解湯の湯張りが終了すると、湯温検知手段１９により所定間隔をおいて湯温の検知を行い、湯温検知手段１９により湯温が炭酸風呂モードに対応した設定温度よりも低い追い焚き温度に低下したことを検知すると、前述の通常風呂モードと同様に、制御部４により制御して、図５の矢印のように、炭酸ガス溶解湯を循環させ、湯温が炭酸風呂モードに対応した設定温度になると制御部４により弁１７を閉、弁２０を閉、循環ポンプ３をオフ、弁１６を閉になるように制御すると共に、湯温調整手段１８による加熱を停止する。
【００５４】
なお、上記例では、炭酸風呂モードにおける追い焚きの際に、炭酸ガス供給路１４に設けた弁１６を閉にした例で説明したが、炭酸風呂モードにおける追い焚きの際に弁１６を開にして炭酸ガスの混入溶解を行うように制御してもよい。
【００５５】
次に、本発明の他の実施形態として、上記の実施形態の構成に加え、更に湯張りに当たって半身浴用の湯張りができる構成となっている実施形態につき説明する。
【００５６】
本実施形態の基本的な構成、通常風呂モード、炭酸風呂モードにおける運転制御は前述の実施形態と同様なので省略し、以下、異なる構成につき説明する。
【００５７】
本実施形態においては、図６に示すように、操作盤１２に前述した各釦に加え、更に半身浴設定釦３０を設けている。
【００５８】
そして、半身浴をする場合は、まず、電源釦２２をオン操作する。次に、通常風呂モード又は炭酸風呂モードのいずれかを選択すると共に、半身浴設定釦３０を操作する。この場合、半身浴設定釦３０の操作は風呂モードを選択する前又は後のいずれであってもよい。
【００５９】
半身浴設定釦３０を操作すると、表示部２７に半身浴表示がされ、更に、半身浴用のあらかじめ設定された湯量が表示され、設定温度の表示は風呂モードが通常風呂モード、炭酸風呂モードのいずれかにかかわらず、通常風呂モードに対応した温度が表示される。
【００６０】
つまり、前回の風呂モードが通常風呂モードの場合は、前回の通常風呂モードに対応した設定温度が表示部２７に表示され、前回の風呂モードが炭酸風呂モードの場合は、炭酸風呂モードに対応した設定温度＋Ｘ℃の設定温度、つまり、通常風呂モードにおける設定温度が表示される。
【００６１】
なお、上記のように半身浴用の湯温設定（通常風呂モードの場合と同じ湯温）、湯量設定の表示がなされた状態で、必要に応じて更に湯温設定釦２１、湯張り量設定釦２５を操作して湯温、湯量の設定を変更してもよい。
【００６２】
次に、自動湯張り釦２４を操作することで、湯温調整手段１８を制御して加熱部１において設定された湯温に加熱されて浴槽２に供給され、半身浴用に設定された湯量になるまで湯張りされる。
【００６３】
また、半身浴運転における追い焚きも前述の実施形態と同様である。
【００６４】
ここで、全身浴においては、炭酸風呂モードの方は通常風呂モードよりも低い湯温で同じ温まり感、快適感を得ることができるが、半身浴の場合は、身体の湯に浸かる部分が前述のような全身浴の場合に比べて少ないので、炭酸風呂モードの湯温を通常風呂モードの湯温よりも低くすると、同じ温まり感、快適感を得ることができない。
【００６５】
しかしながら、本実施形態においては、上記のように、炭酸風呂モードにおける半身浴運転の場合も、通常風呂モードにおける半身浴運転の場合における設定温度と同じ湯温となるように制御されるので、同じ温まり感、快適感で半身浴ができる。
【００６６】
前記図１に示す実施形態では、同一の加熱部１で湯張りの際の加熱と、追い焚きの際の加熱を行うシステムの例で説明したが、図７、図８のように、加熱部１を、湯張り用の加熱部１Ａと、これと別の追い焚き用の加熱部１Ｂで構成してもよい。なお、図中３６は給湯装置である。図７、図８においては、作図上、追い焚き用の加熱部１Ｂを給湯装置３６と別位置に記載しているが、実際は給湯装置３６に湯張り用の加熱部１Ａと追い焚き用の加熱部１Ｂを備えている。
【００６７】
以下、図７に示す実施形態を説明する。
【００６８】
図７に示す実施形態は、加熱部１を、湯張り用の加熱部１Ａと、湯張り用の加熱部１Ａとは別の追い焚き用の加熱部１Ｂで構成したもので、循環路１１における供給路８の他端部と戻し路９の他端部の連通接続部分に、湯張り用の加熱部１Ａで加熱された湯を供給する給湯路３４の先端部を連通接続している。
【００６９】
給湯路３４の途中は、湯のみを通過させる第１給湯路３４ａと、炭酸ガス溶解部１３を設けた第２給湯路３４ｂとに分岐してあり、下流側で再び一つの給湯路３４として合流している。
【００７０】
第１給湯路３４ａと、第２給湯路３４ｂの炭酸ガス溶解部１３の上流側にはそれぞれ弁３５ａ、３５ｂを設けている。
【００７１】
図７において、上記説明以外の構成は、図１に示す構成と同じであるので説明は省略する。なお、図１と同じ構成には同じ符号を付している。
【００７２】
この図７に示す実施形態において通常風呂モードに設定して運転する場合は、図１の実施形態と同様、電源釦２２をオン操作し、次に、表示部２７に表示された運転モードが通常風呂モードの場合はそのまま、炭酸風呂モードの場合はモード設定釦２３を操作して通常風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３５ａを開、弁３５ｂを閉、弁２０を閉、循環ポンプ３をオフ、弁１６を閉になるように制御すると共に、湯温調整手段１８を制御して、追い焚き用の加熱部１Ｂをオフ、湯張り用の加熱部１Ａをオンにし、湯張り用の加熱部１Ａで操作盤１２で設定された設定温度に加熱した湯を給湯路３４に供給し、第１給湯路３４ａを通過して供給路８を経て供給口５から浴槽２内に供給する。
【００７３】
このようにして操作盤１２で設定された設定温度の湯を操作盤１２で設定された設定湯量となるように湯張りする。そして、設定湯量になると、制御部４により弁３５ａを閉、弁３５ｂを閉、弁２０を閉、循環ポンプ３をオフ、弁１６を閉になるように制御すると共に、湯温調整手段１８による湯張り用の加熱部１Ａでの加熱を停止する。
【００７４】
上記のようにして湯張りが終了すると、一定時間（例えば１０分）毎に、湯温検知手段１９により戻し路９内の湯温を検知するよう制御する。そして、湯温検知手段１９により湯温が設定温度よりも低い追い焚き温度に低下したことを検知すると、制御部４により、弁３５ａを閉、弁３５ｂを閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３５ａを閉、弁３５ｂを閉、弁２０を閉、循環ポンプ３をオフ、弁１６を閉になるように制御すると共に、湯温調整手段１８による追い焚き用の加熱部１Ｂの加熱を停止する。
【００７５】
一方、炭酸風呂モードに設定して運転する場合は、図１の実施形態と同様、運転モードが炭酸風呂モードの場合はそのまま、また、通常風呂モードの場合はモード設定釦２３を操作して炭酸風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３５ａを閉、弁３５ｂを開、弁２０を閉、循環ポンプ３をオフ、弁１６を開になるように制御すると共に、湯温調整手段１８を制御して、追い焚き用の加熱部１Ｂをオフ、湯張り用の加熱部１Ａをオンにし、湯張り用の加熱部１Ａで操作盤１２で設定された設定温度に加熱した湯を給湯路３４に供給し、第２給湯路３４ｂを通過して供給路８を経て供給口５から浴槽２内に供給する。
【００７６】
上記湯張り時に、第２給湯路３４ｂを湯が流れる際、加熱された湯に炭酸ガス溶解部１３で炭酸ガスを混入溶解し、この炭酸ガス溶解湯を上記のように供給口５から浴槽２内に供給する。
【００７７】
このようにして操作盤１２で設定された設定温度の湯を操作盤１２で設定された設定湯量となるように炭酸ガス溶解湯を湯張りする。そして、設定湯量になると、制御部４により弁３５ａを閉、弁３５ｂを閉、弁２０を閉、循環ポンプ３をオフ、弁１６を閉になるように制御すると共に、湯温調整手段１８による湯張り用の加熱部１Ａでの加熱を停止する。
【００７８】
上記のようにして炭酸ガス溶解湯の湯張りが終了すると、湯温検知手段１９により所定間隔をおいて湯温の検知を行い、湯温検知手段１９により湯温が設定温度よりも低い追い焚き温度に低下したことを検知すると、前述の通常風呂モードと同様に、制御部４により制御して、弁３５ａを閉、弁３５ｂを閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３５ａを閉、弁３５ｂを閉、弁２０を閉、循環ポンプ３をオフ、弁１６を閉になるように制御すると共に、湯温調整手段１８による追い焚き用の加熱部１Ｂの加熱を停止する。
【００７９】
次に、図８に示す本発明の他の実施形態につき説明する。本実施形態は、加熱部１を、湯張り用の加熱部１Ａと、これと別の湯張り用の加熱部１Ａとは別の追い焚き用の加熱部１Ｂで構成している。
【００８０】
本実施形態では給水路１０に炭酸ガス溶解部１３を設け、この給水路１０の炭酸ガス溶解部１３より下流側に湯水混合部３７を設け、この湯水混合部３７に湯張り用の加熱部１Ａで加熱された湯を供給する給湯路３４の先端部を連通接続している。
【００８１】
給湯路３４には弁３８を設けている。図８において、上記説明以外の構成は、図１に示す構成と同じであるので説明は省略する。なお、図１と同じ構成には同じ符号を付している。
【００８２】
この図８に示す実施形態において通常風呂モードに設定して運転する場合は、図１の実施形態と同様、電源釦２２をオン操作し、次に、表示部２７に表示された運転モードが通常風呂モードの場合はそのまま、炭酸風呂モードの場合はモード設定釦２３を操作して通常風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３８を開、弁１７を開、弁２０を閉、循環ポンプ３をオフ、弁１６を閉になるように制御すると共に、湯温調整手段１８を制御して、追い焚き用の加熱部１Ｂをオフ、湯張り用の加熱部１Ａをオンにし、湯張り用の加熱部１Ａで加熱された湯と給水路１０を供給される水の湯水混合部３７における混合割合を調整することで、操作盤１２で設定された設定温度に加熱した湯を供給口５から浴槽２内に供給する。
【００８３】
このようにして操作盤１２で設定された設定温度の湯を操作盤１２で設定された設定湯量となるように湯張りする。そして、設定湯量になると、制御部４により弁３８を閉、弁１７を閉、弁２０を閉、循環ポンプ３をオフ、弁１６を閉になるように制御すると共に、湯温調整手段１８による湯張り用の加熱部１Ａでの加熱を停止する。
【００８４】
上記のようにして湯張りが終了すると、一定時間（例えば１０分）毎に、湯温検知手段１９により戻し路９内の湯温を検知するよう制御する。そして、湯温検知手段１９により湯温が設定温度よりも低い追い焚き温度に低下したことを検知すると、制御部４により、弁３８を閉、弁１７を閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３８を閉、弁１７を閉、弁２０を閉、循環ポンプ３をオフ、弁１６を閉になるように制御すると共に、湯温調整手段１８による追い焚き用の加熱部１Ｂの加熱を停止する。
【００８５】
一方、炭酸風呂モードに設定して運転する場合は、図１の実施形態と同様、運転モードが炭酸風呂モードの場合はそのまま、また、通常風呂モードの場合はモード設定釦２３を操作して炭酸風呂モードに設定する。また、表示部２７に設定された設定温度、設定湯量を変えない場合はそのまま、変える場合は湯温設定釦２１、湯張り量設定釦２５を操作して任意の設定温度、設定湯量にする。その後、自動湯張り釦２４をオン操作すると、制御部４により弁３８を閉、弁１７を開、弁２０を閉、循環ポンプ３をオフ、弁１６を開になるように制御すると共に、湯温調整手段１８を制御して、追い焚き用の加熱部１Ｂをオフ、湯張り用の加熱部１Ａをオンにし、湯張り用の加熱部１Ａで加熱された湯と給水路１０を供給される水の湯水混合部３７における混合割合を調整することで、操作盤１２で設定された設定温度に加熱した湯を供給口５から浴槽２内に供給する。
【００８６】
上記湯張り時に、給水路１０を流れる水が炭酸ガス溶解部１３を通過する際、炭酸ガス溶解部１３で炭酸ガスを混入溶解し、この炭酸ガス溶解湯を上記のように供給口５から浴槽２内に供給する。
【００８７】
このようにして操作盤１２で設定された設定温度の湯を操作盤１２で設定された設定湯量となるように炭酸ガス溶解湯を湯張りする。そして、設定湯量になると、制御部４により弁３８を閉、弁１７を閉、弁２０を閉、循環ポンプ３をオフ、弁１６を閉になるように制御すると共に、湯温調整手段１８による湯張り用の加熱部１Ａでの加熱を停止する。
【００８８】
上記のようにして炭酸ガス溶解湯の湯張りが終了すると、湯温検知手段１９により所定間隔をおいて湯温の検知を行い、湯温検知手段１９により湯温が設定温度よりも低い追い焚き温度に低下したことを検知すると、前述の通常風呂モードと同様に、制御部４により制御して、弁３８を閉、弁１７を閉、弁２０を開、循環ポンプ３をオン、弁１６を閉になるように制御すると共に、湯温調整手段１８を制御して、湯張り用の加熱部１Ａをオフ、追い焚き用の加熱部１Ｂをオンにする。これにより、浴槽２内の湯を吸込口６から循環路１１に吸込み、追い焚き用の加熱部１Ｂで加熱して供給口５から浴槽２に供給する。そして、湯温が設定温度になると湯温検知手段１９で検知し、制御部４により弁３８を閉、弁１７を閉、弁２０を閉、循環ポンプ３をオフ、弁１６を閉になるように制御すると共に、湯温調整手段１８による追い焚き用の加熱部１Ｂの加熱を停止する。
【００８９】
上記図７、図８に示す実施形態においても、通常風呂モードにおける設定温度が任意の設定温度に設定されている状態で、炭酸風呂モードで運転する際の加熱温度を、通常風呂モードにおける任意の設定温度よりも低い温度に変更するように制御するようになっており、このことによる作用効果は前述の図１に示す実施形態と同様であるので説明は省略する。
【００９０】
更に、図７、図８に示す実施形態においても、湯張りの湯量が少ない半身浴運転において炭酸風呂モードで運転する際の加熱温度を、通常風呂モードにおける浴設定温度と同じ温度となるように制御するようにしてもよく、このことによる作用効果は前述の図１に示す実施形態と同様であるので説明は省略する。
【符号の説明】
【００９１】
２  浴槽
４  制御部
【図１】
2011212126.tif 000003
【図２】
2011212126.tif 000004
【図３】
2011212126.tif 000005
【図４】
2011212126.tif 000006
【図５】
2011212126.tif 000007
【図６】
2011212126.tif 000008
【図７】
2011212126.tif 000009
【図８】
2011212126.tif 000010